(57)【要約】【課題】端子ボックスの取り付け作業を容易化可能な太陽電池モジュールを提供する。【解決手段】太陽電池セル群と、絶縁部材１３と、端子ボックスと、第一取出配線３６と、第二取出配線３７と、第三取出配線３８を有する太陽電池モジュールにおいて、各取出配線３６，３７，３８をいずれも幅を持つ配線とし、その一部を絶縁部材１３の裏面側に位置させる。また、各取出配線３６，３７，３８のうち、平面視で絶縁部材１３と重なる部分は、絶縁部材１３側に位置する部分が実質的に同一平面上に位置するものとする。さらに、各取出配線３６，３７，３８は、平面視したときに筐体部と重なる線状部分を有するものとし、それぞれの線状部分の中心を結ぶ仮想線が三角形を形成するものとする。【選択図】図４
2019103224.tif 000002
【特許請求の範囲】
【請求項１】
太陽電池セル群と、絶縁部材と、端子ボックスと、第一取出配線と、第二取出配線と、第三取出配線とを有し、
前記太陽電池セル群は、複数の太陽電池セルを有し、各太陽電池セルがそれぞれ接続部材を介して電気的に直列接続されており、
前記端子ボックスは、筐体部の内部に第一端子部材と第二端子部材と第三端子部材とを有するものであって、前記太陽電池セル群の裏面側に配されており、
前記第一取出配線は、一部が前記太陽電池セル群の発電時の電流の流れ方向の上流側端部と接続されて接続部を形成し、他部が前記第一端子部材と接続されており、
前記第二取出配線は、一部が前記太陽電池セル群の発電時の電流の流れ方向の下流側端部と接続されて接続部を形成し、他部が前記第二端子部材と接続されており、
前記第三取出配線は、一部が各太陽電池セルを接続する接続部材のうち少なくとも一つの接続部材と接続されて接続部を形成し、他部が前記第三端子部材と接続されており、
前記絶縁部材は、前記太陽電池セル群よりも裏面側に位置し、
前記第一取出配線と前記第二取出配線と前記第三取出配線とは、いずれも幅を持つ配線であり、且つ、その一部が前記絶縁部材の裏面側に位置しており、
前記第一取出配線と前記第二取出配線と前記第三取出配線とにおいて、裏面側から平面視したときに前記絶縁部材と重なる部分のそれぞれは、前記絶縁部材側が実質的に同一平面上に位置しており、
前記第一取出配線と前記第二取出配線と前記第三取出配線とのそれぞれは、裏面側から平面視したとき、前記筐体部の縁端部分と重なる線状の重なり部分を有し、
前記重なり部分のうちで最も前記接続部寄りの位置にある重なり部分を線状部分とし、
前記第一取出配線における前記線状部分の中心を第一交差点とし、
前記第二取出配線における前記線状部分の中心を第二交差点とし、
前記第三取出配線における前記線状部分の中心を第三交差点としたとき、
前記第一交差点と前記第二交差点と前記第三交差点とを結ぶ仮想線が三角形を形成する、太陽電池モジュール。
【請求項２】
前記絶縁部材の裏面は、裏面側から平面視したとき、前記筐体部と重なる領域を含んで広がる面であり、
前記第一取出配線と前記第二取出配線と前記第三取出配線との一部が前記絶縁部材の裏面と接触している、請求項１に記載の太陽電池モジュール。
【請求項３】
前記三角形の内角の最小角は３０度以上６０度以下である、請求項１又は２に記載の太陽電池モジュール。
【請求項４】
前記三角形が、鋭角三角形である、請求項１乃至３のいずれかに記載の太陽電池モジュール。
【請求項５】
前記端子ボックスは、平面視形状が略四角形状となる太陽電池パネルの裏面に取り付けられるものであり、
前記筐体部は、前記縁端部分の一部を形成する第一基準部と第二基準部とを有し、
前記第一基準部は、前記太陽電池パネルの対向する二辺の一方側に向く直線又は曲線を含む線であり、
前記第二基準部は、前記二辺の他方側に向く直線又は曲線を含む線であり、
前記第一交差点と前記第二交差点と前記第三交差点との一つが、裏面側から平面視したとき、前記第一基準部と重なる位置にあり、
前記第一交差点と前記第二交差点と前記第三交差点との他の一つが、裏面側から平面視したとき、前記第二基準部と重なる位置にある、請求項１乃至４のいずれかに記載の太陽電池モジュール。
【請求項６】
前記第一基準部と重なる前記第一交差点と前記第二交差点と前記第三交差点との一つと、前記第二基準部の重なる前記第一交差点と前記第二交差点と前記第三交差点との他の一つのそれぞれは、裏面側から平面視したとき、前記第一基準部と前記第二基準部との離間方向と直交する方向で離れた位置にある、請求項５に記載の太陽電池モジュール。
【請求項７】
裏面と平行な平面に対して前記筐体部と前記三角形とをそれぞれ投影したとき、前記筐体部の投影面形状の重心部分が前記三角形の内側に位置する、請求項１乃至６のいずれかに記載の太陽電池モジュール。
【請求項８】
前記筐体部は、裏面側から平面視した平面視形状が多角形状であって、異なる３辺を少なくとも有し、
前記第一交差点と前記第二交差点と前記第三交差点とは、裏面側から平面視したとき、それぞれ異なる前記３辺と重なる位置にある、請求項１乃至７のいずれかに記載の太陽電池モジュール。
【請求項９】
前記筐体部は、裏面側から平面視した形状が略四角形状である、請求項８に記載の太陽電池モジュール。
【請求項１０】
前記太陽電池セル群は、前記太陽電池セルが広がりをもって並べられて形成されており、前記太陽電池セルが列状に並んだ太陽電池セル列を複数有し、
前記太陽電池セル列では、前記太陽電池セル列に属する前記太陽電池セルが電気的に直列接続されており、
前記太陽電池セル列は、前記太陽電池セル列における直列接続の接続方向と交わる方向で並べられており、
前記第三取出配線の一方の端部は、隣接する前記太陽電池セル列を電気的に接続する前記接続部材と接続されている、請求項１乃至９のいずれかに記載の太陽電池モジュール。
【請求項１１】
前記第一取出配線と前記第二取出配線と前記第三取出配線との一部は、前記太陽電池セル群の裏面側に配されている、請求項１乃至１０のいずれかに記載の太陽電池モジュール。
【請求項１２】
前記太陽電池セル群は、表側封止部材と裏側封止部材との間に配されており、
前記表側封止部材と前記裏側封止部材との間に封止材が充填されており、
前記太陽電池セル群は、前記封止材に埋設されている、請求項１乃至１１のいずれかに記載の太陽電池モジュール。
【請求項１３】
太陽電池セル群と、端子ボックスと、第一取出配線と、第二取出配線と、第三取出配線とを有し、
前記太陽電池セル群は、複数の太陽電池セルを有し、各太陽電池セルがそれぞれ接続部材を介して電気的に直列接続されており、
前記端子ボックスは、筐体部の内部に第一端子部材と第二端子部材と第三端子部材とを有するものであって、前記太陽電池セル群の裏面側に配されており、
前記第一取出配線は、一部が前記太陽電池セル群の発電時の電流の流れ方向の上流側端部と接続されて接続部を形成し、他部が前記第一端子部材と接続されており、
前記第二取出配線は、一部が前記太陽電池セル群の発電時の電流の流れ方向の下流側端部と接続されて接続部を形成し、他部が前記第二端子部材と接続されており、
前記第三取出配線は、一部が各太陽電池セルを接続する接続部材のうち少なくとも一つの接続部材と接続されて接続部を形成し、他部が前記第三端子部材と接続されており、
前記第一取出配線と前記第二取出配線と前記第三取出配線とは、いずれも幅を持つ配線であり、且つ、その一部が前記太陽電池セル群から裏面側に離れた位置で延びており、
前記第一取出配線と前記第二取出配線と前記第三取出配線とにおいて、前記太陽電池セル群から裏面側に離れた位置で延びる部分は、前記太陽電池セル群側が実質的に同一平面上に位置しており、
前記第一取出配線と前記第二取出配線と前記第三取出配線とのそれぞれは、裏面側から平面視したとき、前記筐体部の縁端部分と重なる線状の重なり部分を有し、
前記重なり部分のうちで最も前記接続部寄りの位置にある重なり部分を線状部分とし、
前記第一取出配線における前記線状部分の中心を第一交差点とし、
前記第二取出配線における前記線状部分の中心を第二交差点とし、
前記第三取出配線における前記線状部分の中心を第三交差点としたとき、
前記第一交差点と前記第二交差点と前記第三交差点とを結ぶ仮想線が三角形を形成する、太陽電池モジュール。
【発明の詳細な説明】
【技術分野】
【０００１】
本発明は、太陽電池モジュールに関するものであり、所謂結晶型と称される太陽電池モジュールに関する。
【背景技術】
【０００２】
太陽電池モジュールは、一般的に、複数の太陽電池セルが面状に配置されて形成される太陽電池パネルと、太陽電池パネルの裏面側に取り付けられた端子ボックスを備えた構造となっている。そして、太陽電池セルの電極から延びる電力取り出し用の配線が端子ボックス内の端子に接続されており、この端子から延びる出力ケーブルによって電力を外部に取り出す構造となっている。
【０００３】
このような太陽電池モジュールとして、所謂結晶型と称される太陽電池モジュールがある。この結晶型と称される太陽電池モジュールは、半導体基板の片面又は両面に半導体層を積層し、それを電極で挟んで形成される太陽電池（太陽電池セル）を用いたものである。このような結晶型の太陽電池モジュールとして、例えば、特許文献１に開示されたものがある。
【０００４】
特許文献１に開示された太陽電池モジュールは、ガラス基板とＰＥＴ積層シートの間に行列状に並べた太陽電池（太陽電池セル）を封入する構造となっている。
ここで、縦横にマトリックス状に並べた複数の太陽電池の集合体（以下、セルマトリックスとも称す）では、それぞれの太陽電池が隣接する太陽電池と電気的に直列に接続されており、セルマトリックス全体で所望の電圧を出力するものとなっている。そして、セルマトリックス全体の正極と負極には、それぞれ取り出し配線が接続されている。また、セルマトリックスの電気の流れ方向において、全体の正極と全体の負極の間に位置する電極には、バイパスダイオード接続用配線が接続されている。そして、これら取り出し配線と、バイパスダイオード接続用配線は端子ボックスの内部まで延びている。
【先行技術文献】
【特許文献】
【０００５】
【特許文献１】特開２０１６−１５５１５号公報
【発明の概要】
【発明が解決しようとする課題】
【０００６】
ところで、太陽電池パネルを薄型化した場合、太陽電池パネルの裏面側では、電力取り出し用の配線と重なる部分が周囲よりもわずかに盛り上がってしまう場合があった。そして、端子ボックスを取り付ける領域の一部に盛り上がりができてしまうと、端子ボックスを安定した姿勢で取り付けることが困難となる場合があった。
【０００７】
そこで本発明は、端子ボックスの取り付け作業を容易化可能な太陽電池モジュールを提供する。
【課題を解決するための手段】
【０００８】
上記課題を解決するための請求項１に記載の発明は、太陽電池セル群と、絶縁部材と、端子ボックスと、第一取出配線と、第二取出配線と、第三取出配線とを有し、前記太陽電池セル群は、複数の太陽電池セルを有し、各太陽電池セルがそれぞれ接続部材を介して電気的に直列接続されており、前記端子ボックスは、筐体部の内部に第一端子部材と第二端子部材と第三端子部材とを有するものであって、前記太陽電池セル群の裏面側に配されており、前記第一取出配線は、一部が前記太陽電池セル群の発電時の電流の流れ方向の上流側端部と接続されて接続部を形成し、他部が前記第一端子部材と接続されており、前記第二取出配線は、一部が前記太陽電池セル群の発電時の電流の流れ方向の下流側端部と接続されて接続部を形成し、他部が前記第二端子部材と接続されており、前記第三取出配線は、一部が各太陽電池セルを接続する接続部材のうち少なくとも一つの接続部材と接続されて接続部を形成し、他部が前記第三端子部材と接続されており、前記絶縁部材は、前記太陽電池セル群よりも裏面側に位置し、前記第一取出配線と前記第二取出配線と前記第三取出配線とは、いずれも幅を持つ配線であり、且つ、その一部が前記絶縁部材の裏面側に位置しており、前記第一取出配線と前記第二取出配線と前記第三取出配線とにおいて、裏面側から平面視したときに前記絶縁部材と重なる部分のそれぞれは、前記絶縁部材側が実質的に同一平面上に位置しており、前記第一取出配線と前記第二取出配線と前記第三取出配線とのそれぞれは、裏面側から平面視したとき、前記筐体部の縁端部分と重なる線状の重なり部分を有し、前記重なり部分のうちで最も前記接続部寄りの位置にある重なり部分を線状部分とし、前記第一取出配線における前記線状部分の中心を第一交差点とし、前記第二取出配線における前記線状部分の中心を第二交差点とし、前記第三取出配線における前記線状部分の中心を第三交差点としたとき、前記第一交差点と前記第二交差点と前記第三交差点とを結ぶ仮想線が三角形を形成する、太陽電池モジュールである。
なお、ここでいう「実質的に同一平面上」とは、完全に同一平面上にある場合の他、実質的に無視できる程度の高低差がある面上にある場合、すなわち、５０μｍ以下の高低差がある面上にある場合も含む。以下の同様の記載、「実質的な平面」という記載についても同様である。
また、上記した課題を解決するための発明として、太陽電池モジュールは、複数の太陽電池セルを電気的に接続した太陽電池セル群と、前記太陽電池セルからの電流を外部に取り出すための少なくとも３本の取出配線と、前記取出配線毎に電気的に接続する端子部材を有する端子ボックスと、を含む太陽電池モジュールであって、前記太陽電池セル群と前記取出配線との間に絶縁シートが介在し、前記絶縁シート上にて、前記取出配線を覆う蓋となる前記端子ボックスが配置される場合、前記端子ボックスの開口縁と前記取出配線との交差する部分を交差点とすると、前記交差点で形成される形が三角形以上の多角形である太陽電池モジュール、でもよい。
【０００９】
請求項２に記載の発明は、前記絶縁部材の裏面は、裏面側から平面視したとき、前記筐体部と重なる領域を含んで広がる面であり、前記第一取出配線と前記第二取出配線と前記第三取出配線との一部が前記絶縁部材の裏面と接触している、請求項１に記載の太陽電池モジュールである。
【００１０】
請求項３に記載の発明は、前記三角形の内角の最小角は３０度以上６０度以下である、請求項１又は２に記載の太陽電池モジュールである。
【００１１】
請求項４に記載の発明は、前記三角形が、鋭角三角形である、請求項１乃至３のいずれかに記載の太陽電池モジュールである。
【００１２】
請求項５に記載の発明は、前記端子ボックスは、平面視形状が略四角形状となる太陽電池パネルの裏面に取り付けられるものであり、前記筐体部は、前記縁端部分の一部を形成する第一基準部と第二基準部とを有し、前記第一基準部は、前記太陽電池パネルの対向する二辺の一方側に向く直線又は曲線を含む線であり、前記第二基準部は、前記二辺の他方側に向く直線又は曲線を含む線であり、前記第一交差点と前記第二交差点と前記第三交差点との一つが、裏面側から平面視したとき、前記第一基準部と重なる位置にあり、前記第一交差点と前記第二交差点と前記第三交差点との他の一つが、裏面側から平面視したとき、前記第二基準部と重なる位置にある、請求項１乃至４のいずれかに記載の太陽電池モジュールである。
【００１３】
請求項６に記載の発明は、前記第一基準部と重なる前記第一交差点と前記第二交差点と前記第三交差点との一つと、前記第二基準部の重なる前記第一交差点と前記第二交差点と前記第三交差点との他の一つのそれぞれは、裏面側から平面視したとき、前記第一基準部と前記第二基準部との離間方向と直交する方向で離れた位置にある、請求項５に記載の太陽電池モジュールである。
【００１４】
請求項７に記載の発明は、裏面と平行な平面に対して前記筐体部と前記三角形とをそれぞれ投影したとき、前記筐体部の投影面形状の重心部分が前記三角形の内側に位置する、請求項１乃至６のいずれかに記載の太陽電池モジュールである。
【００１５】
請求項８に記載の発明は、前記筐体部は、裏面側から平面視した平面視形状が多角形状であって、異なる３辺を少なくとも有し、前記第一交差点と前記第二交差点と前記第三交差点とは、裏面側から平面視したとき、それぞれ異なる前記３辺と重なる位置にある、請求項１乃至７のいずれかに記載の太陽電池モジュールである。
【００１６】
請求項９に記載の発明は、前記筐体部は、裏面側から平面視した形状が略四角形状である、請求項８に記載の太陽電池モジュールである。
なお、ここでいう「略四角形状」とは、完全な四角形の他、角部分を欠落させた形状や、隅丸四角形状、辺の一部に僅かな突起や窪みがある形状を含むものとし、以下の記載についても同様とする。
【００１７】
請求項１０に記載の発明は、前記太陽電池セル群は、前記太陽電池セルが広がりをもって並べられて形成されており、前記太陽電池セルが列状に並んだ太陽電池セル列を複数有し、前記太陽電池セル列では、前記太陽電池セル列に属する前記太陽電池セルが電気的に直列接続されており、前記太陽電池セル列は、前記太陽電池セル列における直列接続の接続方向と交わる方向で並べられており、前記第三取出配線の一方の端部は、隣接する前記太陽電池セル列を電気的に接続する前記接続部材と接続されている、請求項１乃至９のいずれかに記載の太陽電池モジュールである。
【００１８】
請求項１１に記載の発明は、前記第一取出配線と前記第二取出配線と前記第三取出配線との一部は、前記太陽電池セル群の裏面側に配されている、請求項１乃至１０のいずれかに記載の太陽電池モジュールである。
【００１９】
請求項１２に記載の発明は、前記太陽電池セル群は、表側封止部材と裏側封止部材との間に配されており、前記表側封止部材と前記裏側封止部材との間に封止材が充填されており、前記太陽電池セル群は、前記封止材に埋設されている、請求項１乃至１１のいずれかに記載の太陽電池モジュールである。
【００２０】
請求項１３に記載の発明は、太陽電池セル群と、端子ボックスと、第一取出配線と、第二取出配線と、第三取出配線とを有し、前記太陽電池セル群は、複数の太陽電池セルを有し、各太陽電池セルがそれぞれ接続部材を介して電気的に直列接続されており、前記端子ボックスは、筐体部の内部に第一端子部材と第二端子部材と第三端子部材とを有するものであって、前記太陽電池セル群の裏面側に配されており、前記第一取出配線は、一部が前記太陽電池セル群の発電時の電流の流れ方向の上流側端部と接続されて接続部を形成し、他部が前記第一端子部材と接続されており、前記第二取出配線は、一部が前記太陽電池セル群の発電時の電流の流れ方向の下流側端部と接続されて接続部を形成し、他部が前記第二端子部材と接続されており、前記第三取出配線は、一部が各太陽電池セルを接続する接続部材のうち少なくとも一つの接続部材と接続されて接続部を形成し、他部が前記第三端子部材と接続されており、前記第一取出配線と前記第二取出配線と前記第三取出配線とは、いずれも幅を持つ配線であり、且つ、その一部が前記太陽電池セル群から裏面側に離れた位置で延びており、前記第一取出配線と前記第二取出配線と前記第三取出配線とにおいて、前記太陽電池セル群から裏面側に離れた位置で延びる部分は、前記太陽電池セル群側が実質的に同一平面上に位置しており、前記第一取出配線と前記第二取出配線と前記第三取出配線とのそれぞれは、裏面側から平面視したとき、前記筐体部の縁端部分と重なる線状の重なり部分を有し、前記重なり部分のうちで最も前記接続部寄りの位置にある重なり部分を線状部分とし、前記第一取出配線における前記線状部分の中心を第一交差点とし、前記第二取出配線における前記線状部分の中心を第二交差点とし、前記第三取出配線における前記線状部分の中心を第三交差点としたとき、前記第一交差点と前記第二交差点と前記第三交差点とを結ぶ仮想線が三角形を形成する、太陽電池モジュールである。
【発明の効果】
【００２１】
本発明によると、端子ボックスの取り付け作業を容易化することができる。
【図面の簡単な説明】
【００２２】
【図１】本発明の実施形態にかかる太陽電池モジュールを示す平面図であり、（ａ）は受光面側からみた様子を示し、（ｂ）は裏面側からみた様子を示す。
【図２】図１の太陽電池モジュールの一部を示す断面図である。
【図３】図１の太陽電池モジュールを示す分解斜視図であり、封止材を省略して示す。
【図４】図３の太陽電池モジュールの要部を拡大して示す斜視図である。
【図５】図３の太陽電池モジュールの要部を模式的に示す平面図である。
【図６】（ａ）は、図４の筐体部投影面の周辺を拡大して示す説明図であり、取出配線の一部を省略して示す図であって、（ｂ）は、（ａ）の仮想三角形とその外接円の関係を示す説明図である。また、（ｃ）は、（ａ）の筐体部投影面と第一交差点乃至第三交差点の位置関係を示す説明図である。
【図７】（ａ）は、図１の太陽電池モジュールの一部を裏面側からみた様子を示す斜視図であり、（ｂ）は（ａ）のＡ−Ａ断面図である。
【図８】本発明とは異なる太陽電池モジュールを模式的に示す説明図であり、（ａ）は、端子ボックス周辺を裏面側からみた斜視図、（ｂ）は視線方向を横方向とした平面図である。
【図９】図１の太陽電池モジュールとは異なる形状の筐体部を採用した太陽電池モジュールにおいて、筐体部投影面と取出配線の関係を示す説明図であり、（ａ）〜（ｃ）はそれぞれ異なる太陽電池モジュールを示す。
【図１０】図１とは異なる実施形態にかかる太陽電池モジュールを示す平面図であり、裏面側からみた様子を出力ケーブルを省略して示す図であって、（ａ）、（ｂ）はそれぞれ異なる太陽電池モジュールを示し、（ｃ）は（ｂ）の一部を拡大して示す。
【発明を実施するための形態】
【００２３】
以下、本発明の実施形態に係る太陽電池モジュール１について、図面を参照しつつ詳細に説明する。
なお、本実施形態では、太陽電池モジュール１の受光面と平行な方向であり、太陽電池パネル２の長手方向を縦方向又は第二方向とし、同短手方向を横方向又は第一方向とする。また、端子ボックス３側を裏側とし、その反対側を表側とする。
そして、以下において特に記載のない場合、「平面視」とは、裏側（又は表側）からみた平面視（太陽電池パネル２の厚さ方向を視線方向とした平面視）とする。
また、太陽電池パネル２（太陽電池モジュール１）の厚さ方向は、表面（受光面）と裏面のそれぞれと直交する方向とする。
【００２４】
本実施形態の太陽電池モジュール１は、図１で示されるように、平板状の太陽電池パネル２の裏面側に端子ボックス３を取り付けて形成されている。この太陽電池モジュール１は、金属製のフレームを装着しない構造であり、所謂フレームレスの太陽電池モジュール１となっている。
【００２５】
太陽電池パネル２は、図１で示されるように、平面視形状が略四角形状となる板状部材である。
また太陽電池パネル２は、図２で示されるように、表側封止部材１０と裏側封止部材１１の間に太陽電池セル１２と、絶縁部材１３と、各種配線部材（縦方向配線２１、横方向配線２２、取出配線３５であり、詳しくは後述する）が封入されて形成されている。
また、この表側封止部材１０と裏側封止部材１１の間には、封止材１４が充填されており、表側封止部材１０及び裏側封止部材１１のそれぞれと、これらの間に封入された各種部材に接着された状態となっている。
なお、作図の都合上、図１、図３等の一部の図面では、太陽電池セル１２、縦方向配線２１は一部にのみ符号を付し、他への符号を省略する。
【００２６】
表側封止部材１０は、図２等で示されるように、絶縁性及び透光性を有する板状体又はシート体の部材であり、本実施形態では、ガラス製の透光性基板である。
【００２７】
裏側封止部材１１は、絶縁性を有するシート状の部材であり、本実施形態では、樹脂シートを採用している。具体的には、フッ素樹脂を主原料として形成される第一層と、ポリエチレンテレフタレート（ＰＥＴ）を主原料として形成される第二層と、同じくポリエチレンテレフタレート（ＰＥＴ）を主原料として形成される第三層からなる３つの層を有する。すなわち、太陽電池モジュール１の裏面側から第一層、第二層、第三層が積層されて形成される樹脂シートの積層体を有する。
また、裏側封止部材１１は、厚さが０．０１ｍｍ以上２ｍｍ以下となるように形成されており、表側封止部材１０への接合前の段階で可撓性を有する。
【００２８】
この裏側封止部材１１は、図３で示されるように、裏側封止部材１１を厚さ方向に貫通するように形成された貫通孔１１ａを有する。この貫通孔１１ａは、裏側封止部材１１に切り込み線を入れて形成されるスリット溝であり、平面視形状が略Ｈ字状となる溝となっている。すなわち、互いに平行に延びる２本の溝と、それらをつなぐ１本の溝が連続して形成されている。
【００２９】
そして、この貫通孔１１ａが形成された部分及びその周辺が、端子ボックス３の筐体部３０（詳しくは後述する）を取り付けのための筐体取付領域αとなっている。
すなわち、筐体取付領域αは、筐体部３０と直接接触する部分（筐体部３０が載置される部分）、又は、接着材等の取り付けための固定手段を介して筐体部３０が載置される部分となっている。
【００３０】
太陽電池セル１２は、所謂結晶型と称される太陽電池であり、シリコン基板と電極を備えた板状部材である。すなわち、正極と負極の間に太陽電池素子が介在する構造となっている。
具体的には、太陽電池セル１２は、略矩形状の部材となっている。
【００３１】
この太陽電池セル１２は、太陽電池パネル２の内部で縦横にマトリックス状に配されて太陽電池セル群２０を形成している。
すなわち、太陽電池セル群２０は、複数の太陽電池セル１２が縦横に並べられ、これらが縦方向配線２１（接続部材）及び横方向配線２２によって電気的に直列に接続されたものである。
【００３２】
ここで縦方向配線２１と横方向配線２２は、いずれも導電性を有し、箔状、帯状、シート状のような扁平な形状で延びる配線である。
縦方向配線２１は、縦方向に延び、横方向に幅を持つ金属線であり、第二方向に延びる第二配線でもある。
対して横方向配線２２は、横方向に延び、縦方向に幅を持つ金属線であり、第一方向に延びる第一配線でもある。
これら縦方向配線２１と横方向配線２２は、銅箔等の金属箔などが採用できる。
【００３３】
太陽電池セル群２０は、複数（本実施形態では６つ）の太陽電池セル１２を縦方向に並べて形成される直列接続群２５（太陽電池セル列）が複数形成され、この複数の直列接続群２５が横方向に沿って間隔を開けて並列配置されている。
すなわち、それぞれの直列接続群２５での太陽電池セル１２の並列方向となる第二方向（縦方向）と、複数の直列接続群２５の並列方向となる第一方向（横方向）は、同一平面において互いに交わる方向となっている。
【００３４】
そして、それぞれの直列接続群２５では、隣り合う２つの太陽電池セル１２が連結用の配線である縦方向配線２１を介して電気的に直列に接続された状態となっている。
すなわち、直列接続群２５では、縦方向配線２１が一の太陽電池セル１２の正極と、隣接する他の太陽電池セル１２の負極のそれぞれと接触し、電気的に直列に接続する。
また、それぞれの直列接続群２５における太陽電池セル１２の並列方向は、それぞれの直列接続群２５に属する太陽電池セル１２直列接続の接続方向でもある。すなわち、それぞれの直列接続群２５は、太陽電池セルが所定の一方向である縦方向で直列接続されている。したがって、横方向が接続方向と交わる交差方向となる。
【００３５】
さらに隣り合う２つの直列接続群２５が、横方向配線２２を介して電気的に直列に接続されている。すなわち、一の直列接続群２５の正極側端部に位置する太陽電池セル１２と、隣接する他の直列接続群２５の負極側端部に位置する太陽電池セル１２とがそれぞれ縦方向配線２１を介して横方向配線２２に接続されている。
【００３６】
ここで、横方向配線２２には、２つの直列接続群２５の間に介在する連結用横配線２２ａ（接続部材）と、太陽電池セル群２０全体における正極側端部と負極側端部のそれぞれが接続される取出用横配線２２ｂのそれぞれが含まれる。
すなわち、並列方向で両端側にそれぞれ位置する２つの直列接続群２５では、いずれも正極側端部と負極側端部の一方が連結用横配線２２ａに接続され、他方が取出用横配線２２ｂに接続されている。つまり、正極側端部に位置する太陽電池セル１２と、負極側端部に位置する太陽電池セル１２の一方が縦方向配線２１を介して連結用横配線２２ａに接続され、他方が縦方向配線２１を介して取出用横配線２２ｂに接続されている。
これに対し、中央側の他の直列接続群２５では、正極側端部に位置する太陽電池セル１２と、負極側端部に位置する太陽電池セル１２の双方が縦方向配線２１を介して連結用横配線２２ａに接続されている。
【００３７】
以上のことから、太陽電池セル群２０では、発電時における電気の流れ方向は、蛇行しながら延びる方向となる。つまり、２つの取出用横配線２２ｂの一方から他方へ向かって、縦方向で一方端側から他方端側へ向かって流れた後、逆方向である他方端側から一方端側へ向かって流れ、さらにまた一方端側から他方端側へ流れるといった具合に、順次流れていく。
言い換えると、取出用横配線２２ｂの一方が、太陽電池セル群２０の電気の流れ方向における上流側端部である正極側端部となる。対して、取出用横配線２２ｂの他方が、太陽電池セル群２０の電気の流れ方向における下流側端部である負極側端部となる。
【００３８】
絶縁部材１３は、面状に広がりをもつシート状の部材であり、本実施形態では、樹脂シートを採用している。具体的には、絶縁部材１３は、上記した裏側封止部材１１と同様の３つの層を有する樹脂シートであり、太陽電池モジュール１の裏面側から第一層、第二層、第三層が積層された樹脂シートの積層体を有する。
【００３９】
ここで、絶縁部材１３の裏面には、載置面１３ａが形成されている。
載置面１３ａは、後述する取出配線３５を載置するための面であり、実質的な平面となっている。
【００４０】
封止材１４は、図２で示されるように、表側封止部材１０と裏側封止部材１１の間を充填する充填材でもあり、これら表側封止部材１０と裏側封止部材１１を接着する接着材でもある。すなわち、表側封止部材１０と裏側封止部材１１の間に位置する太陽電池セル１２、絶縁部材１３、各種配線部材は、この封止材１４に埋設された状態となっている。
この封止材１４は、絶縁性を有するものであり、特に限定されるものではないが、エチレン−酢酸ビニル共重合樹脂（ＥＶＡ）やポリビニルブチラール（ＰＶＢ）樹脂、ポリイミドなどの熱可塑性樹脂が好適に採用できる。
【００４１】
端子ボックス３は、図１（ｂ）、図３で示されるように、筐体部３０と、筐体部３０の内部から外部へ延びる２つの出力ケーブル３１を有する。
【００４２】
筐体部３０は、箱状の部材であり、太陽電池パネル２側の少なくとも一部分に内外を連通する開放部（図示しない）が形成されている。この開放部は、後述する取出配線３５を内部空間に引き込むための部分である。
本実施形態の筐体部３０は、フランジ部３０ａが設けられている。このフランジ部３０ａは、筐体部３０の４つの側壁部分のうちで太陽電池パネル２側の端部近傍となる位置を囲むように形成されている。
【００４３】
また、筐体部３０の内部空間には、端子部（図示しない）が収納されている。この端子部は、後述する取出配線３５が電気的に接続される部分である。
本実施形態では、端子部が内部空間に引き込む取出配線３５の数と同数の端子部材を有しており（本実施形態では第一端子部材、第二端子部材、第三端子部材の３つ）、引き込む取出配線３５のそれぞれが異なる端子部材に接続される構造となっている。
【００４４】
２つの出力ケーブル３１は、一方が正極側のケーブルであり、他方が負極側のケーブルとなっている。これらは、いずれも一端側が筐体部３０の内の端子部と電気的に接続されている。詳細には、正極側のケーブルと負極側のケーブルとがそれぞれ異なる端子部材に接続されている。
【００４５】
続いて、本実施形態の太陽電池モジュール１の特徴的な部分である取出配線３５の構造について、以下で詳細に説明する。
【００４６】
本実施形態の太陽電池モジュール１は、図４で示されるように、横方向配線２２から端子ボックス３内の端子部材まで延びる３つの取出配線３５を有する。
この取出配線３５は、いずれも導電性を有し、箔状、帯状、シート状のような扁平な形状で延びる金属製の配線である。
本実施形態の取出配線３５は、厚さが０．１ｍｍ以上１ｍｍ以下となるように形成されており、幅方向の長さが１ｍｍ以上２０ｍｍ以下となるように形成されている。また、本実施形態では、３つの取出配線３５の厚さ及び幅方向の長さが実質的に同一となるように形成されている。
なお、ここでいう「実質的に同一」とは、完全に同一のものの他、全体の数パーセントの誤差を含むものとする。
【００４７】
この取出配線３５は、２つの取出用横配線２２ｂの一方と他方のそれぞれに接続される第一取出配線３６、第二取出配線３７と、連結用横配線２２ａの一つに接続される第三取出配線３８が含まれる。
【００４８】
具体的には、太陽電池セル群２０の正極側端部となる取出用横配線２２ｂに第一取出配線３６が接続され、負極側端部となる取出用横配線２２ｂに第二取出配線３７が接続されている。そして、電気の流れ方向で２つの取出用横配線２２ｂの間に位置する連結用横配線２２ａに第三取出配線３８が接続されている。
【００４９】
本実施形態では、３つの取出配線３５のそれぞれが接続される連結用横配線２２ａと、２つの取出用横配線２２ｂが平面視で直線状となるように並列している。
すなわち、これら連結用横配線２２ａと、２つの取出用横配線２２ｂは、太陽電池パネル２の縁部分を形成する同一の一辺の近傍に位置している（図１等参照）。そして、縦方向における位置が略同一の位置となるように配置され、横方向で間隔を開けて並列している。そして、これらの並列方向において、２つの取出用横配線２２ｂの間に連結用横配線２２ａが位置している。
【００５０】
第一取出配線３６、第二取出配線３７、第三取出配線３８は、図４で示されるように、いずれも縦方向に延びる縦延伸部３６ａ，３７ａ，３８ａと、横方向に延びる横延伸部３６ｂ，３７ｂ，３８ｂと、引出延伸部３６ｃ，３７ｃ，３８ｃを有する。
すなわち、縦延伸部３６ａ，３７ａ，３８ａは、第二方向に延びる第二延伸部でもあり、横延伸部３６ｂ，３７ｂ，３８ｂは、第一方向に延びる第一延伸部でもある。
縦延伸部３６ａ，３７ａ，３８ａは、横方向に幅を持つ部分であり、横延伸部３６ｂ，３７ｂ，３８ｂは縦方向に幅を持つ部分である。また、引出延伸部３６ｃ，３７ｃ，３８ｃは、受光面側から裏面側へ延びる部分となっている。
【００５１】
縦延伸部３６ａ，３７ａ，３８ａは、縦方向の一端側の表側面（図４の下面）が横方向配線２２（連結用横配線２２ａ又は取出用横配線２２ｂ）の裏側面（図４の上面）と面接触した状態で一体に取り付けられ、二部材の接続部を構成している。
これに対して、縦方向の他端側部分は、横延伸部３６ｂ，３７ｂ，３８ｂの一端側部分と重ねられて一体に取り付けられている。
【００５２】
横延伸部３６ｂ，３７ｂ，３８ｂは、横方向の一端側が縦延伸部３６ａ，３７ａ，３８ａと重ねられている。そして、他端側は、裏側封止部材１１側へ折り曲げられて引出延伸部３６ｃ，３７ｃ，３８ｃを形成している。
引出延伸部３６ｃ，３７ｃ，３８ｃは、受光面側の端部が横延伸部３６ｂ，３７ｂ，３８ｂと連続しており、裏面側の一部（本実施形態では裏面側の端部）が端子部材と接続されている。
【００５３】
すなわち、取出配線３５は、縦延伸部３６ａ，３７ａ，３８ａを形成する第一の部材と、横延伸部３６ｂ，３７ｂ，３８ｂ及び引出延伸部３６ｃ，３７ｃ，３８ｃを形成する第二の部材を一体に取り付けて形成されている。そして、縦延伸部３６ａ，３７ａ，３８ａと横延伸部３６ｂ，３７ｂ，３８ｂが重なる部分が、二部材を連結するための連結部となり、はんだ付け等を行う部分となる。
つまり、これら取出配線３５は、平面視においてＬ字状に屈曲して延びており、二部材の連結部が取出配線３５の屈曲部分（屈曲部）となる。詳細には、取出配線３５は、接続する横方向配線２２よりの部分が縦方向に延びており、端子部材よりの部分が平面視で横方向に延びている。
【００５４】
また、３つの引出延伸部３６ｃ，３７ｃ，３８ｃは、いずれも厚さ方向及び幅方向が同方向となるように折り曲げられ、平面視で直線状に並んだ状態となる。
【００５５】
ここで、図３で示されるように、取出配線３５が接続される横方向配線２２の配置位置を基準位置としたとき、基準位置に最も近接する位置に配された太陽電池セル１２の裏側となる位置に、絶縁部材１３が配されている。このとき、絶縁部材１３は、横方向で並列する複数の太陽電池セル１２を跨ぐようにこれらの裏面に載置され、これらを裏側から覆っている。
なお、図５で示されるように、この絶縁部材１３の縦方向における片側端部であって基準位置側の端部は、最も基準位置に近接する位置に配された太陽電池セル１２の基準位置側の端部よりも、さらに基準位置に近い位置に配されている。
【００５６】
そして、取出配線３５の一部は、図４で示されるように、絶縁部材１３の載置面１３ａに裏側から接触した状態となっている。具体的には、縦延伸部３６ａ，３７ａ，３８ａとの一部と、横延伸部３６ｂ，３７ｂ，３８ｂの一部が載置面１３ａと接触している。
【００５７】
ここで、図５で示されるように、取出配線３５が接続された横方向配線２２の裏面（図５では上面）と、載置面１３ａとは太陽電池パネル２の厚さ方向（図５の上下方向）の位置が異なる。
このことから、縦延伸部３６ａは、縦方向（図５の左右方向）に延びつつ太陽電池パネル２の裏面側へ延びている。すなわち、縦延伸部３６ａは、縦方向に延びた後、第一屈曲部４１で折り曲げられて裏面側へ延びる。その後、さらに第二屈曲部４２で延び方向の先端側が受光面側に近づく方向へ折り曲げられ、縦方向に延びるものとなっている。
なお、他の縦延伸部３７ａ，３８ａについても同様である。
【００５８】
すなわち、縦延伸部３６ａは、第一屈曲部４１、第二屈曲部４２の２つの屈曲部を有しており、段差を形成するように延びている。
具体的には、第一屈曲部４１と第二屈曲部４２は縦方向（図５の左右方向）で離れており、第一屈曲部４１は、第二屈曲部４２よりも上記基準位置（取出配線３５が接続される横方向配線２２の配置位置）に近い。また、第一屈曲部４１と第二屈曲部４２は、太陽電池パネル２の厚さ方向（図５の上下方向）でも離れており、第一屈曲部４１は、第二屈曲部４２よりも受光面（図５の下方）に近い。縦延伸部３６ａのうち、第一屈曲部４１と第二屈曲部４２の間に位置する部分は、第二屈曲部４２側に近づくにつれ裏面側（図５の上方）に近づくように斜め方向に延び、この部分の長さが絶縁部材１３の厚さ方向の長さより長い。
また、第一屈曲部４１は、絶縁部材１３の載置面１３ａよりも受光面側に位置し、第二屈曲部４２は、絶縁部材１３の受光面側の面よりも裏面側に位置する。
【００５９】
そして、縦延伸部３６ａ，３７ａ，３８ａの一部のうち、平面視で絶縁部材１３と重なる部分は、載置面１３ａに載置された（載置面１３ａと接触した）状態となっている（図４参照）。また、横延伸部３６ｂ，３７ｂ，３８ｂのうちで縦延伸部３６ａ，３７ａ，３８ａと重ならない部分と、引出延伸部３６ｃ，３７ｃ，３８ｃの下端部分もまた平面視で絶縁部材１３と重なる部分が載置面１３ａに載置された状態となっている。
つまり、第一取出配線３６、第二取出配線３７、第三取出配線３８のうち、平面視において絶縁部材１３と重なる部分は、その受光面側が（図４における下端部分）が載置面１３ａと接触している。このことから、これらの部分は、同一平面上（実質的に同一平面上）に位置した状態となっている。すなわち、これらの受光面側の端部に形成される面と、載置面１３ａとが接触した状態となっている。
【００６０】
ここで、上記した筐体部３０を載置面１３ａと同一平面上に投影した投影面を筐体部投影面４５とすると、この筐体部投影面４５は、異なる四辺を有する略四角形状（隅丸四角形状）となっている。そして、うち二辺が互いに平行となるように縦方向に延び、他の二辺が互いに平行となるように横方向に延びている。
【００６１】
そして、図６（ａ）で示されるように、第一取出配線３６、第二取出配線３７、第三取出配線３８は、筐体部投影面４５の異なる三辺とそれぞれ重なった状態となっている。
具体的には、第一取出配線３６、第二取出配線３７、第三取出配線３８は、平面視でそれぞれ筐体部３０の縁端部分の一部と重なる重なり部分を有しており、この重なり部分が、平面視で線状に延びる線状部分４８となる。つまり、第一取出配線３６、第二取出配線３７、第三取出配線３８は、それぞれ線状部分４８に相当する第一線状部分４８ａ、第二線状部分４８ｂ、第三線状部分４８ｃを有する。
【００６２】
そして、それぞれの線状部分４８の長手方向における中心点４９を第一交差点４９ａ、第二交差点４９ｂ、第三交差点４９ｃとすると、これら三つの中心点４９は、それぞれを仮想線で結ぶことで三角形（仮想三角形５３）が形成される位置に配されている。
【００６３】
本実施形態では、端子ボックス３と第一取出配線３６、第二取出配線３７、第三取出配線３８を上記のような構造とすることで、太陽電池パネル２に端子ボックス３を取り付ける際、安定した姿勢で取り付けることが可能となる。
【００６４】
具体的に説明すると、図７で示されるように、裏側封止部材１１と第一取出配線３６、第二取出配線３７、第三取出配線３８が重なる部分では、太陽電池パネル２の裏面に隆起部分５５が形成される場合がある。
すなわち、裏側封止部材１１と絶縁部材１３の間に取出配線３５（第一取出配線３６、第二取出配線３７、第三取出配線３８）が配された部分があることにより、裏側封止部材１１の取出配線３５と重なる部分が周囲よりも盛り上がってしまう場合がある。言い換えると、太陽電池パネル２の一部が周囲よりも厚くなってしまう場合がある。
【００６５】
ここで、図８で示されるように、このような隆起部分１５５と、端子ボックス１０３の縁端部分の重なり位置が一か所に偏った構造について考える。すなわち、平面視において、端子ボックス１０３の縁端部分に位置する同一の一辺と、３つの隆起部分１５５が重なる構造について考える。
このような構造では、端子ボックス１０３を太陽電池パネル１０２の裏面上（取り付け位置）に載置したとき、端子ボックス１０３が傾いた姿勢となる。
つまり、隆起部分１５５が一か所に偏って形成されることで、端子ボックス１０３の所定方向（図８（ｂ）の左右方向）における一方側が他方側に比べて高位置に配される。
【００６６】
このような構造では、端子ボックス１０３を安定した姿勢で取り付けできないばかりか、端子ボックス１０３を取り付ける際に、太陽電池セル１１２が破損してしまう場合がある。
詳細に説明すると、端子ボックス１０３の取り付けの際、取り付け位置に接着剤を塗布して端子ボックス１０３を押し付けると、端子ボックス１０３の一部が太陽電池パネル１０２の一部を強く押圧してしまう。つまり、隆起部分１５５と重なる部分や、この部分と対となる縁端部分（図８の符号１０７で示す部分）から太陽電池パネル１０２に強い力が加わってしまう。
すると、この強い力が加わる部分と重なる位置に配された太陽電池セル１１２にも強い力が加わることとなり、結果、太陽電池セル１１２が破損してしまう場合がある。
この問題は、本太陽電池セル１２の裏面側に絶縁部材１３を配さない場合に、特に顕著に発生する。
【００６７】
これに対し、本実施形態の太陽電池モジュール１では、上記したように、３つの取出配線３５のそれぞれが非常に薄く、且つ、取出配線３５の受光面側の面が実質的に同一平面上に位置している（図７参照）。このことから、第一取出配線３６、第二取出配線３７、第三取出配線３８のうちで引出延伸部３６ｃ，３７ｃ，３８ｃを除いた部分における裏面側端部に位置する面もまた、実質的に同一平面上に位置する。
このことから、隆起部分５５が形成された場合であっても、その隆起部分５５の盛り上がり高さ（太陽電池パネル２の厚さ方向における長さ）が略同一となる。
そのうえで、上記したように、３つの取出配線３５の端子ボックス３の縁端部分との重なり位置（線状部分４８）が、端子ボックス３を安定した姿勢で三点支持できるようにそれぞれ十分に離れた位置にある。
【００６８】
つまり、本実施形態の太陽電池モジュール１は、第一取出配線３６と第二取出配線３７と第三取出配線３８において、裏面側から平面視したときに絶縁部材１３と重なる部分のそれぞれは、絶縁部材１３側に位置する端部が実質的に同一平面上に位置している。そして、第一交差点４９ａと第二交差点４９ｂと第三交差点４９ｃを結ぶ仮想線が三角形（仮想三角形５３）を形成する。
このことから、端子ボックス３を安定した姿勢で取り付け可能であり、太陽電池セル１２の破損を防止できる。
【００６９】
さらに、本実施形態の太陽電池モジュール１では、図６（ｂ）で示されるように、仮想三角形５３が内角の最小角θ１が３０度以上６０度以下となる三角形となっており、鋭角三角形となっている。
また、この仮想三角形５３は、外接円の中心（外心Ｃ１）が三辺で囲まれた内側の領域に位置する三角形でもある。
このような構造とすると、端子ボックス３をさらに安定した姿勢で取り付けることが可能となる。
【００７０】
ここで、筐体部３０は、図６（ｃ）で示すように、横方向において最も片側端部側に位置する一辺（以下、第一基準部６０とも称す）と、最も他方端部側に位置する他の一辺（以下、第二基準部６１とも称す）を有する。
なお、図６（ｃ）では、作図の都合上、筐体部投影面４５において第一基準部６０と重なる辺と、第二基準部６１と重なる辺のそれぞれに符号を付している。
また、図１（ｂ）で示されるように、第一基準部６０は、太陽電池パネル２の一方の長辺を向く辺であり、第二基準部６１は、太陽電池パネル２の他方の長辺を向く辺となっている。言い換えると、第一基準部６０と第二基準部６１は、異なる長辺にそれぞれ最も近接する辺となっている。
【００７１】
すなわち、筐体部３０は、図６（ｃ）で示されるように、平面視において、第一基準部６０、第二基準部６１のそれぞれの少なくとも一部と重なって延び、互いに平行となる第一仮想線Ｌ１と第二仮想線Ｌ２の間に位置する。
そして、平面視において、第一基準部６０と重なる位置に第一交差点４９ａが位置し、第二基準部６１と重なる位置に第二交差点４９ｂが位置している。
このように、仮想三角形５３の頂点を形成する二点を十分に離れた位置に配した構造とすることで、端子ボックス３をさらに安定した姿勢で取り付けることを可能としている。
【００７２】
さらに、本実施形態では、平面視において第一基準部６０と重なる位置に第一交差点４９ａを位置させ、第二基準部６１と重なる位置に第二交差点４９ｂが位置させた上で、さらにこれらが縦方向で離れた位置にある。すなわち、第一交差点４９ａと第二交差点４９ｂは、横方向及び縦方向（横方向及び太陽電池パネル２の厚さ方向と直交する方向）で離れた位置にある。
詳細には、平面視において、第一交差点４９ａは、筐体部３０の中心よりも縦方向における片側端部側に位置し、第二交差点４９ｂは、筐体部３０の中心よりも縦方向における他方端部側に位置している。
端子ボックス３をより安定させるという観点から、このような構造とすることがより好ましい。
【００７３】
また、図６（ａ）で示されるように、本実施形態では、平面視において、筐体部投影面４５の重心部分Ｗ１を、仮想三角形５３の三辺で囲まれた内側の領域に位置させている。
このことから、端子ボックス３をさらに安定させた姿勢で取り付けできる。
【００７４】
また、上記した実施形態のように、筐体部３０の裏面側から平面視した平面視形状を、異なる３辺を少なくとも有する多角形状とし、第一交差点４９ａと第二交差点４９ｂと第三交差点４９ｃをこの３辺と平面視で重なる位置とすることが好ましい。
さらに、筐体部３０の面側から平面視した形状を略四角形状とすることがより好ましい。
【００７５】
上記した実施形態では、筐体部投影面４５が略四角形状である例について説明したが、本発明の筐体部３０の形状は、上記した平面視形状が略四角形状となるものに限るものではない。例えば、六角形状のような少なくとも三辺を有する多角形状であってもよく、略楕円形や略円形であってもよい。
また、平面視形状が上記形状の一部を欠落させた形状（欠落部を有する上記形状）であってもよく、平面視形状が上記形状の一部を外側に延伸させた形状（上記形状となる本体部と、延伸部（又は突出部）とを有する形状）であってもよい。
【００７６】
例えば、図９（ａ）で示されるように、平面視形状（筐体部投影面２４５）が円形の一部を欠落させた形状（略三日月状）となる筐体部であってもよい。
この場合、第一取出配線３６、第二取出配線３７、第三取出配線３８のそれぞれは、上記と同様に、平面視において筐体部投影面２４５の縁端部分の一部とそれぞれ重なるように形成している。したがって、第一取出配線３６、第二取出配線３７、第三取出配線３８のそれぞれは、上記と同様に、線状部分２４８を有する。
【００７７】
ここで、第一取出配線３６は、複数個所で筐体部投影面２４５の縁端部分と重なっている。そして、複数の重なり部分のうち、最も横方向配線２２側の位置にある重なり部分を線状部分２４８ａとしている。言い換えると、横方向配線２２側から端子部材側へと向かう第一取出配線３６の延び方向において、最も基端側の位置にある重なり部分を線状部分２４８ａとしている。
なお、上記した実施形態の線状部分４８が直線状であるのに対し、この線状部分２４８は曲線状となっている。すなわち、線状部分２４８は、曲線状に延びる部分であってもよい。
【００７８】
また、上記した実施形態では、３つの取出配線３５のうち、第三取出配線３８の連結部（縦延伸部３８ａと横延伸部３８ｂの重なり部分）が平面視で筐体部投影面４５と重なる位置に配されていた。そして、他の２つの取出配線３５の連結部が平面視で筐体部投影面４５と重ならない位置に配されていた。
これに対し、図９（ａ）で示される構造では、３つの取出配線３５の連結部がいずれも平面視で筐体部投影面２４５と重ならない位置に配されている。
すなわち、少なくとも一以上の連結部が平面視で筐体部投影面４５と重なるように形成してもよく、全ての連結部が平面視で筐体部投影面２４５と重ならないように形成してもよい。
【００７９】
また、図９（ｂ）で示されるように、平面視形状（筐体部投影面３４５）が、一部が欠落した略四角形状となる本体領域３４５ａと、本体領域３４５ａから外側に向かって延びる二つの突起状領域３４５ｂを有する筐体部であってもよい。
この場合もまた、第一取出配線３６、第二取出配線３７、第三取出配線３８のそれぞれが、上記と同様に、線状部分３４８を有する。
この場合では、３つの取出配線３５にそれぞれ形成される線状部分３４８のうち、二つが直線状の線状部分３４８ｂ，３４８ｃであり、他の一つが曲状の線状部分３４８ａとなっている。つまり、３つの取出配線３５にそれぞれ形成される線状部分３４８は、全て直線状でもよく、全て曲線状でもよく、複数の形状が混在していてもよい。また、線状部分が波線状や、蛇行して延びる線状である場合も考えられる。
【００８０】
さらに、図９（ｃ）で示されるように、平面視形状（筐体部投影面４４５）が、一部が略楕円形状となる本体領域４４５ａと、本体領域４４５ａから外側に向かって延びる二つの突起状領域４４５ｂを有する筐体部であってもよい。
このような場合もまた、第一取出配線３６、第二取出配線３７、第三取出配線３８のそれぞれが、上記と同様に、線状部分４４８を有する。
【００８１】
ここで、上記した第一基準部６０と第二基準部６１は、筐体部３０のうち、横方向の両端それぞれに位置する辺とした。すなわち、裏面と平行な方向のうちの一方向である横方向で離間する二辺をそれぞれ第一基準部６０、第二基準部６１とした。
そして、第一基準部６０と重なる第一交差点４９ａと、第二基準部６１と重なる位置に第二交差点４９ｂは、第一基準部６０と第二基準部６１の離間方向（横方向）だけでなく、この離間方向と直交する縦方向でも離れた位置に配されるように形成した。しかしながら、本発明はこれに限るものではない。
【００８２】
例えば、図１０（ａ）で示されるように、平面視形状がひし形であり、平面視における斜め方向で離れた両端それぞれに第一基準部５６０、第二基準部５６１を有する筐体部５３０としてもよい。
この場合、第一基準部５６０は、太陽電池パネル２の一方の長辺に向く辺であり、第二基準部５６１は、他方の長辺に向く辺となっている。この場合もまた、第一基準部５６０、第二基準部５６１のそれぞれと重なる第一交差点４９ａ、第二交差点４９ｂは、第一基準部５６０と第二基準部５６１の離間方向と直交する方向で離れていることが好ましい。
【００８３】
また、図１０（ｂ）で示されるように、平面視形状の縁端部分が曲線となる筐体部６３０であってもよい。この筐体部６３０は、横方向で離れた２個所にそれぞれ位置する曲線部分が第一基準部６６０、第二基準部６６１となっている。
この筐体部６３０において、第一基準部６６０は、太陽電池パネル２の一方の長辺に向く曲線部分であり、第二基準部６６１は、太陽電池パネル２の他方の長辺に向く曲線部分となっている。
これら第一基準部６６０、第二基準部６６１は、図１０（ｃ）で示されるように、平面視において筐体部６３０と近似する仮想の四角形（図中βで示す部分であり、以下、仮想四角形とも称す）の対向する二辺のそれぞれと近接している。
なお、ここでいう筐体部と近似する仮想四角形は、平面視において内側に筐体部６３０を含むことが可能な仮想の四角形のうち、面積が最小となる仮想の四角形である。したがって、仮に筐体部の平面視形状が四角形の場合は、この仮想四角形の形状が筐体部の平面視形状と同一形状となる。
【００８４】
つまり、上記したそれぞれの第一基準部、第二基準部は、いずれも平面視において筐体部の縁端部分の一部を形成する部分である。さらに、平面視において、筐体部と同一形状となる又は近似した形状となる仮想四角形の一辺と重なる又は一辺に近接する線部分である。すなわち、平面視において、仮想四角形の一辺と重なる直線部分、又は、一辺と近似する（最も近接する位置にある）曲線部分となっている。そして、これらは、太陽電池パネル２のいずれか一辺を向く線部分となる。
なお、上記した筐体部６３０に替わって、第一基準部、第二基準部の少なくとも一方が、直線と曲線の両方向を含む線部分（一部が直線であり、一部が曲線となる線部分）となる形状の筐体部を採用してもよい。この場合も上記と同様に、この線部分が平面視において仮想の四角形の一辺と近似する線部分となり、太陽電池パネル２のいずれか一辺を向く線部分となる。
また、上記したような第一基準部、第二基準部が太陽電池パネル２の長辺に向く線部分となる構造に替わって、第一基準部、第二基準部が太陽電池パネル２の短辺を向く線部分とする構造も考えられる。
【００８５】
上記した実施形態では、絶縁部材１３として樹脂シートを採用した例を示したが、本発明で採用する絶縁部材はこれに限るものではない。板状体であってもよく、薄板状、フィルム状の部材であってもよい。実質的な平面となる載置面を有する部材であればよい。
【００８６】
上記した実施形態では、平面視で絶縁部材１３と重なる位置にある取出配線３５を載置面１３ａに載置した例を示した。しかしながら、本発明は、これに限るものではなく、取出配線３５のうち、平面視で絶縁部材１３と重なる部分は、載置面１３ａから裏面側に離れた位置に配されていてもよい。これらの下端部分が実質的に同一平面上に位置すればよい（太陽電池パネル２の厚さ方向における位置が実質的に同一となればよい）。
しかしながら、取出配線３５を規定位置に安定配置させるという観点から、載置面１３ａに載置する（載置面１３ａと接触する）ことがより好ましい。
【００８７】
上記した実施形態では、裏側封止部材１１に樹脂シートを採用したが、本発明はこれに限定されるものではない。樹脂シートに替わってガラス基板等の絶縁板及び透光性を有する板状体を使用してもよい。
【００８８】
上記した実施形態では、取出配線３５の両端部分のそれぞれを横方向配線２２と端子部材に接続した例について説明したが、本発明はこれに限るものではない。
例えば、取出配線３５の端部よりもやや離れた位置を横方向配線２２に接触させ、接続部を形成してもよい。同様に、取出配線３５の端部よりもやや離れた位置を端子部材に接触させる構造であってもよい。
【００８９】
上記した実施形態では、太陽電池セル群２０の裏面側であり、太陽電池セル群２０と裏側封止部材１１の間となる位置に絶縁部材１３を設ける例を示したが、本発明はこれに限るものではない。例えば、絶縁部材１３を設けず、これに替わって取出配線３５に絶縁処理を施す構造が考えられる。
すなわち、取出配線の周囲を絶縁材で隙間なく包んで封止した状態（取出配線が絶縁コートされた状態）とし、上記と同様な形状とした上で、それぞれの取出配線の第一交差点と第二交差点と第三交差点を結ぶ仮想線が三角形を形成するものとしてもよい。
【符号の説明】
【００９０】
１  太陽電池モジュール
３  端子ボックス
１３  絶縁部材
１４  封止材
１２  太陽電池セル
２０  太陽電池セル群
２１  縦方向配線（接続部材）
２２ａ  連結用横配線（接続部材）
２２ｂ  取出用横配線（上流側端部、下流側端部）
２５  直列接続群（太陽電池セル列）
３０，５３０，６３０  筐体部
３６  第一取出配線
３７  第二取出配線
３８  第三取出配線
４８，２４８，３４８，４４８  線状部分
４９ａ  第一交差点
４９ｂ  第二交差点
４９ｃ  第三交差点
５３  仮想三角形（三角形）
６０，５６０，６６０  第一基準部
６１，５６１，６６１  第二基準部
【図１】
2019103224.tif 000003
【図２】
2019103224.tif 000004
【図３】
2019103224.tif 000005
【図４】
2019103224.tif 000006
【図５】
2019103224.tif 000007
【図６】
2019103224.tif 000008
【図７】
2019103224.tif 000009
【図８】
2019103224.tif 000010
【図９】
2019103224.tif 000011
【図１０】
2019103224.tif 000012